(57)【要約】【課題】フロントパネルに記録メディアを挿入／排出するための開口部と、該開口部に開閉可能に配置されるドアを備える電子機器であって、振動や力が付与することで前記ドアがはずれても、ドアを常時閉鎖方向に付勢するばねが該ドアから離脱せず、基板の短絡、駆動機構の動作不良等の不具合の発生を抑制する。【解決手段】第１係合部２１の支持軸２１１に捩じりばね３の巻線部３３が外嵌され、捩じりばね３の延伸部３２１及び屈曲部３２２は連結部２１２に接触して配置されている。延伸部３２１は連結部２１２の支持軸２１１が取り付けられている面と直交する面に接して配置されており、屈曲部３２２は支持軸２１１が取り付けられている面と反対側の面に接触し、ドア押え部３２３がボス２５に第１係合部２１側から当接している。【選択図】図２
2007299441.tif 000002
【特許請求の範囲】
【請求項１】
記録メディアが通過する開口部が形成され、先端部に係合孔を備えたドア取付部が裏面に一体突設されたフロントパネルと、
先端部に前記ドア取付部と係合する支持軸を備えた一対の係合部が上面より突設され、前記開口部を開閉するためのドアと、
前記一方の係合部の支持軸に巻回され前記ドアを閉鎖方向に常時付勢する捩じりばねとを有し、前記記録メディアが挿入又は排出されるときに前記ドアを前記支持軸周りに回動させて前記開口部を開閉する電子機器であって、
前記ドアの背面の前記一方の係合部の近傍には、ばね脱落防止手段として該一方の係合部よりも中央寄りに一体突設される係合ボスが備えられており、
前記捩じりばねは、前記支持軸に巻回される巻回部と、前記巻回部の一方の端部と連結し該巻回部の接線方向に伸びる第１端部と、前記巻回部の他方の端部と連結し該巻回部の軸方向に第２端部とを有しており、
前記第２端部は前記巻回部の軸方向に延び前記一方の係合部の前面と当接する延伸部と、前記延伸部の先端と連結し前記一方の係合部の前記支持軸と反対側と当接する屈曲部と、前記屈曲部の先端と連結し前記ドアの背面と当接するとともに、前記係合ボスと前記一方の係合部側より当接することを特徴とする電子機器。
【請求項２】
記録メディアが通過する開口部が形成され、先端部に係合孔を備えたドア取付部が裏面に一体突設されたフロントパネルと、
先端部に前記ドア取付部と係合する支持軸一体突設された一対の係合部が上面より突設され、前記開口部を開閉するためのドアと、
前記一方の係合部の支持軸に巻回され前記ドアを閉鎖方向に常時付勢する捩じりばねとを有し、前記記録メディアが挿入又は排出されるときに前記ドアを前記支持軸周りに回動させて前記開口部を開閉する電子機器であって、
前記ドアの背面の前記一方の係合部の近傍にはばね脱落防止手段が形成されており、
前記捩じりばねは、前記支持軸に巻回される巻回部と、前記巻回部の一方の端部と連結し該巻回部の接線方向に伸びる第１端部と、前記巻回部の他方の端部と連結し該巻回部の軸方向に第２端部とを有しており、
前記第２端部は前記巻回部の軸方向に延び前記一方の係合部の前面と当接する延伸部と、前記延伸部の先端と連結し前記一方の係合部の前記支持軸と反対側と当接する屈曲部と、前記屈曲部の先端と連結し前記ドアの背面と当接するとともに、前記ばね脱落防止手段と係合又は当接することを特徴とする電子機器。
【請求項３】
前記ばね脱落防止手段は、前記ドアの上部に形成された凹溝であり、前記ドア押え部が前記凹溝に係合するように配置されていることを特徴とする請求項２に記載の電子機器。
【発明の詳細な説明】
【技術分野】
【０００１】
本発明は、記録メディアを挿入／排出するときに、その挿入／排出動作に連動して開閉するドアを備えた電子機器に関するものである。
【背景技術】
【０００２】
映像及び（又は）音楽を再生／記録するための電子機器は、正面に映像、音楽等のソースデータを記録する記録メディアを挿入／排出するためのスリットを有しており、該スリットには前記記録メディアの動作にあわせて開閉するドアを備えているものが多い。前記ドアは、異物の進入や内部が見えるのを防ぐために閉じた状態になっており、常に弾性部材にて閉鎖方向に付勢されている。
【０００３】
図８に従来の電子機器の一例であるＶＴＲ（Ｖｉｄｅｏ  Ｔａｐｅ  Ｒｅｃｏｒｄｅｒ）の正面図を、図９に図８に示すＶＴＲのドアの取付部の拡大図を示す。図５に示すように、ＶＴＲの前面に取り付けられるフロントパネル９１と、記録メディアであるビデオカセットを出し入れするためのカセット挿入部９１１と、フロントパネル９１に取り付けられた電源ボタン９１２と、ＶＴＲ内部に挿入されたビデオカセットを排出するときに押下するカセット排出ボタン９１３と、ＶＴＲの状態を示すための情報表示窓９１４とを備えている。カセット挿入部９１１にはカセットを挿入／排出するときに開閉するドア９２が取り付けられている。
【０００４】
図９に示すように、ドア９２には弾性部材（ここでは、捩じりばね９３）が取り付けられており、捩じりばね９３の弾性力にて常に閉鎖方向に付勢され、閉じている。ドア９２は内部に向かって開く構造を有しており、ビデオカセットを挿入するときは、該ビデオカセットでドアを押し開くように押し、ビデオカセットが排出されるときは、ドア９２が開いた後にビデオカセットが排出されるようになっている。
【０００５】
ドア９２は薄い樹脂製の長尺部材である本体９２０と、フロントパネル９１の取付部と回動可能に係合する第１係合部９２１と、第２係合部９２２と、中央係合部９２３とを有している。捩じりばね９３は、金属線をらせん状に巻いた形状を有する巻線部９３０と、直線状に延びる第１端部９３１及び第２端部９３２とを有している。
【０００６】
捩じりばね９３の巻線部９３０は第１係合部９２１に外嵌するように取り付けられている。ドア９２の取り付けは第２係合部９２２をフロントパネル９１の背面に形成された取付部に係合し、ドア９２の本体９２０を弾性変形させ、第１係合部９２１を取付部に取り付けることで、フロントパネル９１に回動可能（換言すると、開閉可能）に取り付けられる。
【０００７】
このとき、捩じりばね９３の第１端部９３１はフロントパネル９１の背面と当接し、第２端部９３２はドア９２の本体９２０の背面と当接し、第１端部９３１がフロントパネル９１の背面を、第２端部９３２がドア９２の背面を押すことで、ドア９２を常時閉鎖する方向に付勢している（実開平６−７７０９０号公報等参照）。
【０００８】
ドア９２は弾性変形によりフロントパネル９１に取り付けられるものであり、荷重がかかることで弾性変形し、不意に外れる場合がある。ドア９２が外れると捩じりばね９３がドア９２の第１係合部９２１より外れ、ＶＴＲのスイッチ等に挟まってスイッチが動作不良になったり、基板上に落ちてショートし発熱したりすることがある。
【０００９】
そこで、特開２００６−４５４９号公報に記載の発明には、捩じりばねの脱落を阻止する脱落阻止手段が備えられているものが示されている。前記脱落阻止手段としては、捩りばねと該捩じりばねと支軸との間に円筒軸を介在するもの（特開２００６−４５４９号公報、図１等参照）、捩じりばねの一端を湾曲させて形成したリング部をフロントパネルの裏面に突設されたロックピンに係合し、ロックピンを加熱融解させて変形させ、抜け止めをするもの（特開２００６−４５４９号公報、図２、３等参照）、一対のロックピンに略Ｌ字状に折曲げた捩じりばねの一端を係合させ、該一対のロックピンの先端どうしを連結する連結部を備えるもの（特開２００６−４５４９号公報、図４等参照）が示されている。
【００１０】
また、特開２０００−３３１４７０号公報に記載の発明では、トーションバネの腕部の一方がドアに設けられた係止突起（抜け止め部）よりもドアの中心側に掛けられているものが示されている。前記トーションバネの腕部は前記係止突起と係合しており、トーションバネが抜ける方向（ドアの端部に向かう方向）に力が付勢されても、前記腕部が前記係止突起と外れにくく構成されているので、トーションバネが外れるのを防ぐことができる。
【特許文献１】特開２００６−４５４９号公報
【特許文献２】特開２０００−３３１４７０号公報
【特許文献３】実開平６−７７０９０号公報
【発明の開示】
【発明が解決しようとする課題】
【００１１】
しかしながら、特開２００６−４５４９号公報に記載の発明では、別途脱落防止手段を準備しなくてはならず、それだけ、製造にかかる手間と時間が必要になる。また、溶着や特殊な形状の脱落防止手段を形成しなくてはならず、同様に製造に手間と、時間が多く必要になる。
【００１２】
また、特開２０００−３３１４７０号公報に記載の発明では、ドアが本体内部方向に回動したときに、トーションバネと係止突起との係合が外れた状態になり、この状態のときに、ドアが外れた場合、該トーションバネも脱落する可能性がある。
【００１３】
そこで本発明は、特殊な部材や加工方法を用いることなく、簡単に取り付けることができ、振動や力が付与することでドアがはずれても、ドアを常時閉鎖方向に付勢する捩じりばねが該ドアから離脱せず、基板の短絡、駆動機構の動作不良等の不具合の発生を抑制することを目的とする。
【課題を解決するための手段】
【００１４】
上記目的を達成するために本発明は、記録メディアが通過する開口部が形成され、先端部に係合孔を備えたドア取付部が裏面に一体突設されたフロントパネルと、先端部に前記ドア取付部と係合する支持軸を備えた一対の係合部が上面より突設され、前記開口部を開閉するためのドアと、前記一方の係合部の支持軸に巻回され前記ドアを閉鎖方向に常時付勢する捩じりばねとを有し、前記記録メディアが挿入又は排出されるときに前記ドアを前記支持軸周りに回動させて前記開口部を開閉する電子機器であって、前記ドアの背面の前記一方の係合部の近傍には、ばね脱落防止手段として該一方の係合部よりも中央寄りに一体突設される係合ボスが備えられており、前記捩じりばねは、前記支持軸に巻回される巻回部と、前記巻回部の一方の端部と連結し該巻回部の接線方向に伸びる第１端部と、前記巻回部の他方の端部と連結し該巻回部の軸方向に第２端部とを有しており、前記第２端部は前記巻回部の軸方向に延び前記一方の係合部の前面と当接する延伸部と、前記延伸部の先端と連結し前記一方の係合部の前記支持軸と反対側と当接する屈曲部と、前記屈曲部の先端と連結し前記ドアの背面と当接するとともに、前記係合ボスと前記一方の係合部側より当接することを特徴とする。
【００１５】
この構成によると、前記ドアに大きな負荷がかかり破損したり、前記フロントパネルから外れてしまったりした場合でも、前記捩じりばねが前記ドアの支持軸から脱落しないので、該捩じりばねが電子機器内の基板の配線や、基板に実装されている電子部品の端子と接触しショートすることで、前記電子機器の誤作動が発生したり、発熱、発火の原因になったりするのを抑制することができる。
【００１６】
また、前記記録メディアを挿入、排出する駆動機構やその他の駆動機構に用いられている歯車、ベルト等に挟まって、前記駆動機構の動作を妨げたり、破損したりするのを抑制することができる。
【００１７】
また、取り付けが容易であるとともに、前記捩じりばねが前記支持軸より脱落しないので、前記ドアに予め前記捩じりばねを取り付け、その後、前記フロントパネルに取り付けることができるので、電子機器の組立作業を簡略化することができる。また、電子機器の組立作業を分業化することも可能である。これによると、組立作業にかかる手間と時間を低減することができるので、それだけ、電子機器を製造するコストも低減することが可能である。
【００１８】
また上記目的を達成するために本発明は、記録メディアが通過する開口部が形成され、先端部に係合孔を備えたドア取付部が裏面に一体突設されたフロントパネルと、先端部に前記ドア取付部と係合する支持軸一体突設された一対の係合部が上面より突設され、前記開口部を開閉するためのドアと、前記一方の係合部の支持軸に巻回され前記ドアを閉鎖方向に常時付勢する捩じりばねとを有し、前記記録メディアが挿入又は排出されるときに前記ドアを前記支持軸周りに回動させて前記開口部を開閉する電子機器であって、前記ドアの背面の前記一方の係合部の近傍にはばね脱落防止手段が形成されており、前記捩じりばねは、前記支持軸に巻回される巻回部と、前記巻回部の一方の端部と連結し該巻回部の接線方向に伸びる第１端部と、前記巻回部の他方の端部と連結し該巻回部の軸方向に第２端部とを有しており、前記第２端部は前記巻回部の軸方向に延び前記一方の係合部の前面と当接する延伸部と、前記延伸部の先端と連結し前記一方の係合部の前記支持軸と反対側と当接する屈曲部と、前記屈曲部の先端と連結し前記ドアの背面と当接するとともに、前記ばね脱落防止手段と係合又は当接することを特徴とする。
【００１９】
この構成によると、前記ドアに大きな負荷がかかり破損したり、前記フロントパネルから外れてしまったりした場合でも、前記捩じりばねが前記ドアの支持軸から脱落しないので、該捩じりばねが電子機器内の基板の配線や、基板に実装されている電子部品の端子と接触しショートすることで、前記電子機器の誤作動が発生したり、発熱、発火の原因になったりするのを抑制することができる。
【００２０】
また、前記記録メディアを挿入、排出する駆動機構やその他の駆動機構に用いられている歯車、ベルト等に挟まって、前記駆動機構の動作を妨げたり、破損したりするのを抑制することができる。
【００２１】
また、取り付けが容易であるとともに、前記捩じりばねが前記支持軸より脱落しないので、前記ドアに予め前記捩じりばねを取り付け、その後、前記フロントパネルに取り付けることができるので、電子機器の組立作業を簡略化することができる。また、電子機器の組立作業を分業化することも可能である。これによると、組立作業にかかる手間と時間を低減することができるので、それだけ、電子機器を製造するコストも低減することが可能である。
【００２２】
上記構成において前記ばね脱落防止手段は、前記ドアの上部に形成された凹溝であり、前記ドア押え部が前記凹溝に係合するように配置されているものであってもよい。
【発明の効果】
【００２３】
本発明によると、フロントパネルに記録メディアを挿入／排出するための開口部と、該開口部に開閉可能に配置されるドアを備える電子機器であって、振動や力が付与することで前記ドアがはずれても、ドアを常時閉鎖方向に付勢するばねが該ドアから離脱せず、基板の短絡、駆動機構の動作不良等の不具合の発生を抑制することができる。
【００２４】
また本発明によると、フロントパネルに記録メディアを挿入／排出するための開口部と、該開口部に開閉可能に配置されるドアを備える電子機器であって、前記ドアを容易に組付けることができる。
【発明を実施するための最良の形態】
【００２５】
以下に本発明の実施形態を図面を参照して説明する。図１に本発明にかかる電子機器の一例の正面図を示す。図１に示す電子機器はそれには限定されないが、ここではＶＴＲである。図１に示すＶＴＲは、フロントパネル１を有しており、フロントパネル１にはメディアであるビデオカセットを挿入、排出するための開口部１１と、開口部１１に取り付けられた開閉可能なドア２とを有している。フロントパネル１にはビデオカセットを排出するためのメディア排出ボタン１２と、電源ボタン１３と、ＶＴＲの状態を示す表示部１４とが備えられている。
【００２６】
図２に図１に示す電子機器のフロントパネルの背面図を示す。フロントパネル１の背面１０は、ドア２を回動可能（換言すると、開閉可能）に係合するための取付部１５を有している。ドア２は長尺部材である本体２０と、本体２０の上部に配置され、フロントパネル１の取付部１５と回動可能に係合される第１係合部２１、第２係合部２２及び中央係合部２３と、ドア２が閉じるときにフロントパネル１の開口部１１より行き過ぎるのを防ぐための突起部２４と、ドア２の背面より一体突設されるボス２５とを有している。また、第１係合部２１には第１係合部２１を外嵌し、ドア２を常時閉鎖方向に付勢する捩じりばね３が取り付けられている。
【００２７】
図３に図２に示すフロントパネルに取り付けられるドアの背面図を、図４に図３に示すドアの平面図を、図５にフロントパネルに取り付けられたドアの第１支持部の拡大背面図を、図６に図５に示すドアの拡大側断面図に示す。
【００２８】
第１係合部２１はフロントパネル１の取付部１５と係合するための支持軸２１１と、ドア本体２０及び支持軸２１１とを連結する連結部２１２とを有している。第２係合部２２はフロントパネル１の取付部１５と係合するための支持軸２２１と、ドア本体２０と支持軸２２１とを連結する連結部２２２とを有している。
【００２９】
ボス２５は第１係合部２１の近傍に形成されている。すなわち、ボス２５は第１係合部２１の下方で、連結部２１２と軸方向に重ならない位置に形成されている。
【００３０】
第１係合部２１の支持軸２１１には捩じりばね３が外嵌配置されている。捩じりばね３は、鋼線をコイル状に巻いたばねであり、第１端部３１と、第２端部３２と、巻線部３３とを有している。第１端部３１は巻線部３３の一方の端部と連設されており、直線状に形成されている。第２端部３２は巻線部３３の第１端部３１が連設されているのと反対側の端部と連設されている。
【００３１】
第２端部３２は捩じりばね３の軸方向に延びる延伸部３２１と、延伸部３２１から直角に屈曲する屈曲部３２２と、さらに屈曲部３２２よりドア２の本体２０に沿って屈曲するドア押え部３２３とを有している。
【００３２】
図５、図６に示すように、第１係合部２１の支持軸２１１に捩じりばね３の巻線部３３が外嵌される。このとき、捩じりばね３の延伸部３２１及び屈曲部３２２は連結部２１２に接触して配置されている。
【００３３】
延伸部３２１は連結部２１２の支持軸２１１が取り付けられている面と直交する面に接して配置されており、屈曲部３２２は支持軸２１１が取り付けられている面と反対側の面に接触するように配置されている。また、ドア押え部３２３はドア２の本体２０と接触して配置されている。延伸部３２１は連結部２１２の前面側と、ドア押え部２１３は本体２０の裏側と接触するように配置される。
【００３４】
また、ドア押え部３２３は本体２０の裏面より突出するボス２５と当接している。ドア押え部３２３はボス２５と当接することで、ドア２の中央方向（図３中右方向）に変形するのを抑制されている。捩じりばね３に支持軸２１１から脱落する方向（図３中左方向）に力が付与されると、延伸部３２１が引っ張られ、屈曲部３２２が正面側にずれようとする。このとき、ドア押え部３２３はドア２の中央方向に変形しようとするが、ボス２５と当接することで、変形が抑制される。
【００３５】
このように、捩じりばね３の屈曲部３２２が連結部２１２の支持軸２１１との連結部と反対側と接触するとともに、ドア押え部３２３がボス２５と当接することで、捩じりばね３に支持軸２１１から抜ける方向に力がかかった場合でも、ボス２５がドア押え部３２３が広がらず、これによって、捩じりばね３が支持軸２１１から脱落するのを抑制している。
【００３６】
また、図６に示すように、捩じりばね３の第１端部３１がフロントパネル１の背面に当接し、第２端部３２のドア押え部３２３がドア２の本体２０の背面と当接しているので、ドア２は常時閉鎖方向に付勢されている。このとき、図３、図４に示すようにドア２に設けられた突起部２４がフロントパネル１の内面に当接することで、ドア２が外側に行き過ぎないように、換言すると、ドア２がフロントパネル１からはみ出さないように止まっている。
【００３７】
またドア２は長尺部材である本体２０を長手方向にたわませて、第１係合部２１、第２係合部２２及び中央係合部２３をフロントパネル１の取付部１５に係合させて取り付けるものである。捩じりばね３は延伸部３２１、屈曲部３２２及びドア押え部３２３がドア２の第１係合部２１と係合し、脱落するのを抑制しているので、ドア２をフロントパネル１に取り付ける前に、ドア２の第１係合部２１に捩じりばね３を脱落しないように取り付けることができる。
【００３８】
このことは、フロントパネル１にドア２を取り付ける工程とドア２に捩じりばね３を外嵌する工程とを一連の工程とする必要がなく、すなわち、フロントパネル１にドア２を取り付ける工程と、ドア２に捩じりばね３を取り付ける工程とを分けて行うことができ、電子機器を量産化するときの製造組立工程、組立ラインの配置の自由度を上げることが可能であり、これにより、製造組み立てに必要な時間及び手間を低減することができ、コストを低下させることができる。
【００３９】
ＶＴＲにビデオカセットを挿入する場合、ビデオカセットでドア２を押すことで、ドア２をＶＴＲ内部に閉じて挿入する。ビデオカセット所定位置よりも奥に挿入されると、ドア２とビデオカセットとが接触しなくなるので、ドア２は閉鎖する。また、ＶＴＲからビデオカセットを取り出す場合、ＶＴＲに設けられた開閉部材（図示省略）でドア３を持ち上げ、ビデオカセットを排出する。ビデオカセットが排出されてしまうと、ドア２は捩じりばね３に付勢されて閉じる。
【００４０】
このように、ビデオカセットの挿入及び排出に合わせてドア２を開くのでＶＴＲ内部が見えず、円滑にビデオカセットを挿入、排出することができる。また、ドアに力が作用しドア２が破損したり、フロントパネル１の係合部１５が破損したりしてドア２がはずれても、捩じりばね３がドア２の第１係合部２１から脱落しないので、捩じりばね３がＶＴＲの駆動機構に挟まって駆動機構の動作を妨害したり、基板上に落ちて短絡し、過熱したり、基板に実装されている電子部品が誤動作したりして、ＶＴＲの動作が不安定になるのを防ぐことができる。
【００４１】
図７に本発明にかかる電子機器に用いられるドアの他の例の背面図を示す。図７に示すドア４は本体部が異なる以外は図３に示すドア２と同一の構成を有しており、実質上同じ部分には同じ符号が付してある。図７に示すようにドア４の本体部４０の背面には外周部に補強の目的でリブ４０１が形成されている。このリブ４０１の一部に凹溝４０２が形成されている。
【００４２】
ドア４の係合部２１に捩じりばね３を取り付けるときに、捩じりばね３のドア押え部３２３が凹溝４０２と係合している。ドア押え部３２３が凹溝４０２が係合していることで、ドア押え部３２３がドア４の中央方向に曲がるのを防ぐことができ、ドア２を用いるときと同様に、捩じりばね３が支持軸２１１から脱落するのを抑制することができる。
【００４３】
この構成の場合、予めドア４の背面に形成されている補強用のリブ４０１に凹溝４０２を形成し、そこに、捩じりばね３のドア押え部３２３を配置するものなので、ドア４の製造が容易であり、設計、試作等の手間、時間を低減することができる。捩じりばね３が脱落するのを抑制することにより、図３に示すドア２を用いる場合と同様の効果を有する。
【００４４】
上記実施例において、電子機器としてビデオカセットの録画、再生を行うＶＴＲを採用しているが、それに限定されるものではなく、常時閉鎖方向に付勢され、記録メディアの挿入／排出に連動して開閉するドアを有するものを広く採用することができる。
【産業上の利用可能性】
【００４５】
本発明は、ＶＴＲ、ＤＶＤ等の記録メディアの挿入／排出に連動して開閉するドアを有する電子機器において適用することができる。
【図面の簡単な説明】
【００４６】
【図１】本発明にかかる電子機器の一例の正面図である。
【図２】図１に示す電子機器のフロントパネルの背面図である。
【図３】図２に示すフロントパネルに取り付けられるドアの背面図である。
【図４】図３に示すドアの平面図である。
【図５】図３に示すドアをフロントパネルに取り付けた状態の第１係合部の拡大背面図である。
【図６】図３に示すドアをフロントパネルに取り付けた状態の第１係合部の拡大断面図である。
【図７】本発明にかかる電子機器に用いられるドアの他の例の背面図である。
【図８】従来の電子機器の正面図である。
【図９】図５に示す電子機器のドアの取付部の拡大図である。
【符号の説明】
【００４７】
１  フロントパネル
１１  開口部
１２  メディア排出ボタン
１３  電源ボタン
１４  表示部
１５  取付部
２  ドア
２０  本体
２１  第１係合部
２１１  支持軸
２１２  連結部
２２  第２係合部
２２１  支持軸
２２２  連結部
２３  中央係合部
２４  突起部
２５  ボス
３  捩じりばね
３１  第１端部
３２  第２端部
３２１  延伸部
３２２  屈曲部
３２３  ドア押え部
３３  巻線部
４  ドア
４０  本体
４０１  リブ
４０２  凹部
【図１】
2007299441.tif 000003
【図２】
2007299441.tif 000004
【図３】
2007299441.tif 000005
【図４】
2007299441.tif 000006
【図５】
2007299441.tif 000007
【図６】
2007299441.tif 000008
【図７】
2007299441.tif 000009
【図８】
2007299441.tif 000010
【図９】
2007299441.tif 000011